【手続補正書】
【提出日】平成18年6月28日(2006.6.28)
【手続補正１】
【補正対象書類名】特許請求の範囲
【補正対象項目名】全文
【補正方法】変更
【補正の内容】
【特許請求の範囲】
【請求項１】
水及び保水性のある水溶性有機化合物を含有するプリント媒体用塗布液であって、前記水溶性有機化合物が、温度２３℃、湿度４５％の環境での水分保持力と、温度３０℃、湿度８０％の環境での水分保持力の差が３６％以下の水溶性有機化合物のみで構成され、且つ、前記水溶性有機化合物の含有量がプリント媒体用塗布液全量に対して１５質量％以上であることを特徴とするプリント媒体用塗布液。
【請求項２】
更に、多価金属イオンを含む請求項１に記載のプリント媒体用塗布液。
【請求項３】
更に、強酸の共役塩基及び弱酸の共役塩基を含む請求項１又は２に記載のプリント媒体用塗布液。
【請求項４】
水分保持力の差が１７．５％以上である請求項１〜３の何れか１項に記載のプリント媒体用塗布液。
【請求項５】
水分保持力の差が３６％以下である水溶性有機化合物を２種類以上含む請求項１〜４の何れか１項に記載のプリント媒体用塗布液。
【請求項６】
水分保持力の差が３６％以下である水溶性有機化合物を３種類以上含む請求項１〜４の何れか１項に記載のプリント媒体用塗布液。
【請求項７】
前記水溶性有機化合物が、アミド結合を有する多価アルコール、平均分子量２００〜３００のポリエチレングリコール、平均分子量１，０００のポリエチレングリコール、Ｎ，Ｎ’−ビス−（２−ヒドロキシエチル）−ウレア、ビスヒドロキシエチルスルフォン、１，２，６−ヘキサントリオール、１，５−ペンタンジオール、１，６−ヘキサンジオール、及びトリメチロールプロパン、からなる群から選ばれるものである請求項１〜６の何れか１項に記載のプリント媒体用塗布液。
【請求項８】
水の含有量が、プリント媒体用塗布液全量に対して７７質量％以下である請求項１〜７の何れか１項に記載のプリント媒体用塗布液。
【請求項９】
水及び保水性のある水溶性有機化合物を含有するプリント媒体用塗布液であって、前記水溶性有機化合物が、アミド結合を有する多価アルコール、平均分子量２００〜３００のポリエチレングリコール、平均分子量１，０００のポリエチレングリコール、Ｎ，Ｎ’−ビス−（２−ヒドロキシエチル）−ウレア、ビスヒドロキシエチルスルフォン、１，２，６−ヘキサントリオール、１，５−ペンタンジオール、１，６−ヘキサンジオール、及びトリメチロールプロパンからなる群から選ばれる水溶性有機化合物のみで構成され、且つ、前記水溶性有機化合物の含有量がプリント媒体用塗布液全量に対して１５質量％以上であることを特徴とするプリント媒体用塗布液。
【請求項１０】
色材、水及び保水性のある水溶性有機化合物を含有するインクジェット用インクであって、前記水溶性有機化合物が、温度２３℃、湿度４５％の環境での水分保持力と、温度３０℃、湿度８０％の環境での水分保持力の差が３６％以下の水溶性有機化合物のみで構成され、且つ、前記水溶性有機化合物の含有量がインクジェット用インク全量に対して１５質量％以上であることを特徴とするインクジェット用インク。
【請求項１１】
水分保持力の差が１７．５％以上である請求項１０に記載のインクジェット用インク。
【請求項１２】
水分保持力の差が３６％以下である水溶性有機化合物を２種類以上含む請求項１０又は１１に記載のインクジェット用インク。
【請求項１３】
水分保持力の差が３６％以下である水溶性有機化合物を３種類以上含む請求項１０又は１１に記載のインクジェット用インク。
【請求項１４】
前記水溶性有機化合物が、アミド結合を有する多価アルコール、平均分子量２００〜３００のポリエチレングリコール、平均分子量１，０００のポリエチレングリコール、Ｎ，Ｎ’−ビス−（２−ヒドロキシエチル）−ウレア、ビスヒドロキシエチルスルフォン、１，２，６−ヘキサントリオール、１，５−ペンタンジオール、１，６−ヘキサンジオール、及びトリメチロールプロパン、からなる群から選ばれるものである請求項１２〜１３の何れか１項に記載のインクジェット用インク。
【請求項１５】
色材、水及び保水性のある水溶性有機化合物を含有するインクジェット用インクであって、前記水溶性有機化合物が、アミド結合を有する多価アルコール、平均分子量２００〜３００のポリエチレングリコール、平均分子量１，０００のポリエチレングリコール、Ｎ，Ｎ’−ビス−（２−ヒドロキシエチル）−ウレア、ビスヒドロキシエチルスルフォン、１，２，６−ヘキサントリオール、１，５−ペンタンジオール、１，６−ヘキサンジオール、及びトリメチロールプロパンからなる群から選ばれる水溶性有機化合物のみで構成され、且つ、前記水溶性有機化合物の含有量がインクジェット用インク全量に対して１５質量％以上であることを特徴とするインクジェット用インク。
【請求項１６】
プリント媒体にインクを付与する工程と、前記プリント媒体にプリント媒体用塗布液を付与する工程を有する画像形成方法であって、前記インクが請求項１０〜１５の何れか１項に記載のインクジェット用インクであり、且つ、前記プリント媒体用塗布液が請求項１〜９の何れかに１項に記載のプリント媒体用塗布液であることを特徴とする画像形成方法。
【請求項１７】
プリント媒体用塗布液及びインクジェット用インクとのセットであって、前記プリント媒体用塗布液が請求項１〜９の何れか１項に記載のプリント媒体用塗布液であることを特徴とするプリント媒体用塗布液及びインクジェット用インクとのセット。
【請求項１８】
プリント媒体用塗布液及びインクジェット用インクとのセットであって、前記インクジェット用インクが、請求項１０〜１５の何れか１項に記載のインクジェット用インクであることを特徴とするプリント媒体用塗布液及びインクジェット用インクとのセット。
【請求項１９】
プリント媒体用塗布液及びインクジェット用インクとのセットであって、前記プリント媒体用塗布液が、請求項１〜９の何れか１項に記載のプリント媒体用塗布液であり、前記インクジェット用インクが、請求項１０〜１５の何れか１項に記載のインクジェット用インクであることを特徴とするプリント媒体用塗布液及びインクジェット用インクとのセット。
【請求項２０】
前記プリント媒体用塗布液と前記インクジェット用インクが以下の条件を満たす請求項１７〜１９の何れか１項に記載のプリント媒体用塗布液とインクジェット用インクとのセット。
（条件）
前記プリント媒体用塗布液の８００倍希釈水溶液５０ｇと、前記インクジェット用インクの５倍希釈水溶液０．３ｇとを混合し、１５分後に０．２μｍのフィルターでろ過した後の可視領域の最大吸収波長（色材としてカーボンブラックを用いる場合は、波長５５０ｎｍ）での吸光度を（Ａ）、前記インクジェット用インクの５倍希釈水溶液０．３ｇと純水５０ｇとの混合液の可視領域の最大吸収波長での吸光度を（Ｂ）とした際に、（Ａ）と（Ｂ）が以下の関係を満たす。
（Ａ）／（Ｂ）＜０．８５
【請求項２１】
請求項１〜９の何れか１項に記載のプリント媒体用塗布液と請求項１０〜１５の何れか１項に記載のインクジェット用インクとが搭載されたことを特徴とするインクジェット記録装置。
【手続補正２】
【補正対象書類名】明細書
【補正対象項目名】００２８
【補正方法】変更
【補正の内容】
【００２８】
本発明によれば、プリント媒体用塗布液に含有される水溶性有機化合物が、温度２３℃、湿度４５％の環境での水分保持力と、温度３０℃、湿度８０％の環境での水分保持力の差が３６％以下の水溶性有機化合物のみから構成されれば、本発明のカール防止効果が得られる。これらの水溶性有機化合物の具体例は、アミド結合を有する多価アルコール、平均分子量２００〜３００のポリエチレングリコール；平均分子量１０００のポリエチレングリコール；Ｎ，Ｎ’−ビス−（２−ヒドロキシルエチル）−ウレア；ビスヒドロキシエチルスルフォン；１，２，６−ヘキサントリオール；１，５−ペンタンジオール；１，６−ヘキサンジオール；トリメチロールプロパン等が挙げられる。これらの中でも、平均分子量２００のポリエチレングリコール、トリメチロールプロパン、及びＮ，Ｎ’−ビス−（２−ヒドロキシルエチル）−ウレアがより好ましい。
【手続補正３】
【補正対象書類名】明細書
【補正対象項目名】００３２
【補正方法】変更
【補正の内容】
【００３２】
（保水性のある水溶性有機化合物）
プリント媒体用塗布液中の保水性のある水溶性有機化合物が、温度２３℃、湿度４５％の環境での水分保持力と、温度３０℃、湿度８０％の環境での水分保持力の差が３６％以下の水溶性有機化合物のみから構成されれば、本発明のカール防止効果が得られる。これらの水溶性有機化合物の具体例は、アミド結合を有する多価アルコール；平均分子量２００〜３００のポリエチレングリコール；平均分子量１０００のポリエチレングリコール；Ｎ，Ｎ’−ビス−（２−ヒドロキシルエチル）−ウレア；ビスヒドロキシエチルスルフォン；１，２，６−ヘキサントリオール；１，５−ペンタンジオール；１，６−ヘキサンジオール；トリメチロールプロパン等が挙げられる。これらの中でも、平均分子量２００のポリエチレングリコール、トリメチロールプロパン、及びＮ，Ｎ’−ビス−（２−ヒドロキシルエチル）−ウレアがより好ましい。
【手続補正４】
【補正対象書類名】明細書
【補正対象項目名】００５９
【補正方法】変更
【補正の内容】
【００５９】
（保水性のある水溶性有機化合物）
本発明のインクジェット用インクは、従来のインクジェット用インクよりも効果的にカールを抑制するために、温度２３℃、湿度４５％の環境での水分保持力と、温度３０℃、湿度８０％の環境での水分保持力の差が３６％以下である水溶性有機化合物から構成されている。特にインク中に前記水溶性有機化合物を含有させる場合には、インクジェット用インクとしてのその他の多くの性能も満たすために、分子量Ｍｗが、１００≦Ｍｗ≦１０００の範囲にあるアミド結合を有する多価アルコール、平均分子量２００〜３００のポリエチレングリコール、平均分子量１０００のポリエチレングリコール、Ｎ，Ｎ’−ビス−（２−ヒドロキシルエチル）−ウレア、ビスヒドロキシエチルスルフォン、１，２，６−ヘキサントリオール、１，５−ペンタンジオール、１，６−ヘキサンジオール、トリメチロールプロパン等が好ましい。これらの中では、Ｎ，Ｎ’−ビス−（２−ヒドロキシルエチル）−ウレアが特に好ましい。